(57)【要約】【課題】湾曲しても磁気特性が劣化することが少ない磁性シートを提供する。【解決手段】磁性シート１００は、複数の磁性ピース２０、２１が面状に並んで配置されてなり、以下の（Ａ）および（Ｂ）の条件を共に満たすことを特徴とする。（Ａ）隣接する磁性ピース２０、２１の端面３０、３１同士は、互いに面接触している、（Ｂ）隣接する磁性ピース２０、２１は、面接触している端面３０、３１の延在方向に沿って互いにずれ合った位置に配置されている。【選択図】図１
2014107322.tif 000002
【特許請求の範囲】
【請求項１】
複数の磁性ピースが面状に並んで配置されてなり、以下の（Ａ）および（Ｂ）の条件を共に満たすことを特徴とする磁性シート；
（Ａ）隣接する前記磁性ピースの端面同士が互いに面接触している、
（Ｂ）隣接する前記磁性ピースは、面接触している前記端面の延在方向に沿って互いにずれ合った位置に配置されている。
【請求項２】
第一の前記磁性ピースは、延在方向が互いに交差する第一および第二の端面を有しており、
前記第一の端面が、隣接する第二の前記磁性ピースの端面と互いに面接触しているとともに、前記第一および第二の磁性ピースは前記第一の端面の延在方向に沿って互いにずれ合った位置に配置されており、
前記第二の端面が、隣接する第三の前記磁性ピースの端面と互いに面接触しているとともに、前記第一および第三の磁性ピースは前記第二の端面の延在方向に沿って互いにずれ合った位置に配置されている請求項１に記載の磁性シート。
【請求項３】
前記磁性ピースの並び方向に延在する任意の線分上に位置する少なくとも一の前記磁性ピースと、前記一の磁性ピースに隣接する他の磁性ピースと、が上記（Ａ）および（Ｂ）の条件を共に満たすことを特徴とする請求項１または２に記載の磁性シート。
【請求項４】
隣接する前記磁性ピースが互いに同一形状をなしている請求項１から３のいずれかに記載の磁性シート。
【請求項５】
前記磁性ピースが凹部および凸部を有し、
前記凸部は、隣接する他の磁性ピースの前記凹部と嵌合し、
前記凸部のうち突出方向を延在方向とする端面と、前記凹部のうち凹方向を延在方向とする端面と、が互いに面接触している請求項１から４のいずれかに記載の磁性シート。
【請求項６】
前記凸部の先端縁または前記凹部の最深縁の少なくとも一方が面取りされていて前記磁性シートの湾曲時に前記先端縁または前記最深縁の他方と干渉しないように構成されている請求項５に記載の磁性シート。
【請求項７】
複数の前記磁性ピースを表面に被着させて固定する粘着シートを更に含む請求項１から６のいずれかに記載の磁性シート。
【請求項８】
前記磁性ピースの周縁を囲う可撓性の額縁部材を更に含む請求項１から７のいずれかに記載の磁性シート。
【請求項９】
請求項１から８のいずれかに記載の磁性シートと、前記磁性シートの厚み方向を巻軸方向とするコイルと、前記コイルに交流電流を通電する回路基板と、を含む電子機器。
【請求項１０】
複数の磁性ピースが面状に並んで配置されてなる磁性シートの製造方法であって、
互いに同一形状の複数の前記磁性ピースを作成する工程と、
複数の前記磁性ピースを、端面同士が面接触するとともに前記端面の延在方向に沿って互いにずれ合った位置に配置する工程と、
前記磁性ピースを切削して前記磁性シートの周縁部を作成する工程と、を含む磁性シートの製造方法。
【発明の詳細な説明】
【技術分野】
【０００１】
本発明は、複数の磁性ピースが面状に並んで配置された磁性シート、この磁性シートを含む電子機器、および磁性シートの製造方法に関する。
【背景技術】
【０００２】
非接触給電装置や放射ノイズ吸収体、通信アンテナなど種々の電子機器の薄型化や可搬性の向上の要求から、薄くて可撓性のある磁性シートが望まれている。
【０００３】
この種の技術に関し、特許文献１には、基材に貼り付けたフェライト焼結体シートを引き延ばして破断させることによりタイル状の個片に分割し、個片同士の隙間に樹脂を充填した磁性シートが開示されている。これにより、実効透磁率の値を広い範囲で制御することが可能で薄型の磁性シートが得られるとされている。
【先行技術文献】
【特許文献】
【０００４】
【特許文献１】特開２０１１−２３３７４０号公報
【発明の概要】
【発明が解決しようとする課題】
【０００５】
しかしながら、特許文献１の磁性シートは磁性シートが撓んだときに個片間にギャップが発生して磁気特性が劣化するという問題がある。図８は特許文献１の磁性シート２００の課題を示す模式図である。図８（ａ）は磁性シート２００が平坦な状態を示し、図８（ｂ）は磁性シート２００が湾曲した状態を示している。磁性シート２００は、基材２１０の上にタイル状の個片（磁性ピース２２０、２２１）を並べて配置したものである。図８（ａ）に示すように基材２１０が平坦なときは、隣接する磁性ピース２２０、２２１の端面２３０、２３１は互いに面接触しているか、または近接して対向している。図８（ｂ）に示すように基材２１０が湾曲すると、磁性ピース２２０、２２１の境界位置で基材２１０が伸張し、端面２３０、２３１の間にギャップ２４０が生じる。より具体的には、端面２３０、２３１のうち基材２１０に近接する側（図中、下方）にギャップ２４０が生じ、端面２３０、２３１の上縁は線接触となる。このため、磁性ピース２２０、２２１の連結状態は不安定になる。
【０００６】
ここで、隣接する磁性ピース２２０、２２１の間にギャップ２４０が生じて面接触状態が失われると、磁性シート２００の磁気回路が遮断され、磁束の捕捉性が低下する。このため、特許文献１の磁性シート２００は、湾曲すると不測に磁気特性が劣化するという問題がある。
【０００７】
本発明は上述のような課題に鑑みてなされたものであり、湾曲しても磁気特性が劣化することが少ない磁性シートおよびその製造方法、ならびに磁性シートを備える電子機器を提供するものである。
【課題を解決するための手段】
【０００８】
本発明によれば、複数の磁性ピースが面状に並んで配置されてなり、以下の（Ａ）および（Ｂ）の条件を共に満たすことを特徴とする磁性シートを提供される。
（Ａ）隣接する前記磁性ピースの端面同士が互いに面接触している。
（Ｂ）隣接する前記磁性ピースは、面接触している前記端面の延在方向に沿って互いにずれ合った位置に配置されている。
【０００９】
上記発明によれば、磁性シートが上記の延在方向に湾曲したとき、隣接する磁性ピース同士が面接触したまま相対回転することができるため、磁性ピースの物理的な接触が維持される。このため、少なくとも上記延在方向の湾曲に対して磁性シートの磁気特性を安定に維持することができる。
【００１０】
また、本発明によれば、上記の磁性シートと、前記磁性シートの厚み方向を巻軸方向とするコイルと、前記コイルに交流電流を通電する回路基板と、を含む電子機器が提供される。
【００１１】
また、本発明によれば、複数の磁性ピースが面状に並んで配置されてなる磁性シートの製造方法であって、互いに同一形状の複数の前記磁性ピースを作成する工程と、複数の前記磁性ピースを、端面同士が面接触するとともに前記端面の延在方向に沿って互いにずれ合った位置に配置する工程と、前記磁性ピースを切削して前記磁性シートの周縁部を作成する工程と、を含む磁性シートの製造方法が提供される。
【発明の効果】
【００１２】
本発明によれば、湾曲しても磁気特性が劣化することが少ない磁性シートおよびその製造方法、ならびに磁性シートを備える電子機器が提供される。これにより、磁性シートを備える電子機器の薄型化、繰り返し耐久性、ユーザビリティなどが向上する。
【図面の簡単な説明】
【００１３】
【図１】（ａ）は第一実施形態の磁性シート１００を示す平面模式図であり、（ｂ）は（ａ）の拡大図である。
【図２】（ａ）は磁性ピースの斜視図であり、（ｂ）は凸部の近傍の拡大図である。
【図３】（ａ）は凹部と凸部の嵌合状態を模式的に示す斜視図であり、（ｂ）は磁性シートがＸ方向に湾曲した状態を模式的に示す斜視図であり、（ｃ）は（ａ）の平面図である。
【図４】（ａ）は曲げ角度を変化させた場合の第一実施形態の磁性シートの実効透磁率のシミュレーション結果のグラフであり、（ｂ）は曲げ角度を変化させた場合の従来の磁性シートの実効透磁率のシミュレーション結果のグラフである。
【図５】電子機器の一部切欠平面図である。
【図６】磁性シートの製造方法における切削工程を示す平面模式図である。
【図７】（ａ）は第二実施形態の磁性シートを示す平面模式図であり、（ｂ）はピース群を示す説明図である。
【図８】（ａ）は従来の磁性シートが平坦な状態を示す模式図であり、（ｂ）は従来の磁性シートが湾曲した状態を示す模式図である。
【発明を実施するための形態】
【００１４】
以下、本発明の実施形態を図面に基づいて説明する。尚、すべての図面において、同様な構成要素には同様の符号を付し、重複する説明は適宜省略する。
【００１５】
本実施の形態では上下方向を規定して説明する場合があるが、これは構成要素の相対的な位置関係を説明するために便宜的に規定するものであり、本発明に係る製品の製造時や使用時の方向を限定するものではない。また、本発明でいう面または面状とは、およそ平坦と認識しうる形状を意味するものであり、幾何学的に完全な平面であることを要するものではない。
【００１６】
＜第一実施形態＞
図１（ａ）は本発明の第一実施形態の磁性シート１００を示す平面模式図である。図１（ｂ）は図１（ａ）の拡大図である。図１（ａ）および（ｂ）において、図中の左右方向をＸ方向、同じく上下方向をＹ方向と呼称する。図２（ａ）は磁性ピース２０の斜視図である。図２（ｂ）は磁性ピース２０〜２２における凸部５０の近傍の拡大図である。図１各図においては、説明のため、磁性ピース２０〜２２にハッチングを付してある。
【００１７】
はじめに、本実施形態の磁性シート１００の概要について説明する。
磁性シート１００は、複数の磁性ピース２０、２１が面状に並んで配置されてなり、以下の（Ａ）および（Ｂ）の条件を共に満たすことを特徴とする。
（Ａ）隣接する磁性ピース２０の端面３０と磁性ピース２１の端面３１とは互いに面接触している。
（Ｂ）隣接する磁性ピース２０と２１とは、この面接触している端面３０、３１の延在方向（図１各図ではＸ方向）に沿って互いにずれ合った位置に配置されている。
【００１８】
磁性ピース２０と２１は、図１（ａ）の左右方向（Ｘ方向）に隣接している。本実施形態の磁性シート１００においては、さらに、磁性ピース２０と２２とが図１（ａ）の上下方向（Ｙ方向）に隣接している。すなわち、磁性ピース２０〜２２は、直交する二方向に亘って、上記の（Ａ）および（Ｂ）の条件を共に満たしている。
【００１９】
次に、本実施形態の磁性シート１００について詳細に説明する。
磁性シート１００は、全体にシート状をなし、その少なくとも一部が磁性ピース２０〜２２により構成された電子部品である。磁性シート１００の平面視形状は特に限定されず、円形でも矩形（正方形を含む）でもよい。本実施形態の磁性シート１００の平面視形状は矩形状であり、四つの辺８０〜８３はＸ方向またはＹ方向に延在している。
【００２０】
磁性ピース２０〜２２は、個片状に成形されたフェライト焼結体である。一例として、その比透磁率（μ）は１００以上２０００以下である。磁性ピース２０〜２２のヤング率は、一例として、１×１０４［Ｎ／ｍｍ２］以上である。磁性ピース２０〜２２の曲げ剛性は、磁性シート１００の全体の曲げ剛性よりも顕著に（たとえば１００倍以上）高い。磁性ピース２０〜２２の表面には保護層を設けてもよい。また、隣接する磁性ピース２０〜２２同士の間には無機または有機のフィラーを充填してもよい。フィラーとしては、磁性体粉末、または磁性体粉末を混練した樹脂材料を例示することができる。なお、本実施形態において磁性ピースの端面同士が面接触しているとは、当該端面の素地または保護層同士が平面的かつ物理的に接触している状態のほか、フィラーを介在して端面同士が物理的に接続されている状態を含む。
【００２１】
磁性シート１００は、複数の磁性ピース２０〜２２を表面に被着させて固定する粘着シート１０を備えている。粘着シート１０は磁性シート１００の基材である。粘着シート１０には、ポリオレフィンまたはポリエステルなどの樹脂材料に磁性粉末を混合した磁性フィルムを用いることができる。粘着シート１０のヤング率は磁性ピース２０〜２２のヤング率よりも低く、その１０％未満が好ましい。粘着シート１０の厚み寸法は特に限定されないが、磁性シート１００の柔軟性を高める観点から磁性ピース２０〜２２の厚み寸法よりも小さいことが好ましく、その５０未満がより好ましい。粘着シート１０の表面には粘着加工が施されており磁性ピース２０〜２２を貼着可能である。
【００２２】
磁性シート１００は、磁性ピース２０〜２２の周縁を囲う可撓性の額縁部材６０を備えている。額縁部材６０には、ゴムなどの軟質樹脂材料を用いることができる。額縁部材６０のヤング率は磁性ピース２０〜２２のヤング率よりも低い。額縁部材６０を設けることにより、磁性ピース２０〜２２のＸ方向またはＹ方向の位置ずれを抑制し、また磁性ピース２０〜２２を物理的に保護することができる。額縁部材６０は、磁性ピース２０〜２２の配置領域の全周を隙間無く囲うことが好ましいが、これに限られない。磁性ピース２０〜２２を保持しうるかぎり、額縁部材６０を間欠的に設けてもよい。
【００２３】
本実施形態の磁性ピース２０〜２２は互いに同一形状をなしている。同一形状とは、寸法および形態が実質的に同一であることをいう。磁性ピース２０〜２２は平坦な板状をなし、中央部４２、凹部４０および凸部５０を備えている。凸部５０は中央部４２の両側（図２（ａ）ではＸ方向）に突出形成されている。磁性ピース２０〜２２は、凸部５０と直交する方向に突出する延出部４４を備えている。凹部４０は、Ｘ方向に並ぶ一対の延出部４４の間隙である。Ｙ方向に突出する延出部４４の突出長さは、Ｘ方向に突出する凸部５０の突出長さと等しい。中央部４２を中心としてＹ方向の両側に一対の延出部４４がＨ字状にそれぞれ突出形成されている。したがって、磁性ピース２０〜２２は、合計二対の延出部４４を備えている。
【００２４】
本実施形態において、凸部５０の突出方向がＸ方向を向いている磁性ピースを第一の磁性ピース２０と呼称する。そして、凸部５０の突出方向がＹ方向を向いている磁性ピースを第二の磁性ピース２１と呼称する。ただし、第一の磁性ピース２０を基準として、その凸部５０と嵌合する凹部４０をもつピースを第二の磁性ピース２１といい、当該第一の磁性ピース２０の凹部４０と嵌合する凸部５０をもつピースを第三の磁性ピース２２と呼んで便宜上区別する場合がある。
【００２５】
磁性ピース２０〜２２は、凹部４０および凸部５０をそれぞれ有している。磁性ピース２０の凸部５０は、隣接する他の磁性ピース２１、２２の凹部４０と嵌合する。凸部５０のうち突出方向を延在方向とする端面３０と、凹部４０のうち凹方向（Ｙ方向）を延在方向とする端面３２と、は互いに面接触している。本実施形態において、磁性ピースの端面とは、磁性ピースの外面のうち磁性シートの厚み方向に延在する立面であり、言い換えると磁性ピースの周面の一部領域をいう。端面は平坦面でもよく、凸部５０の先端縁５１のように面取り加工が施されるなどして形成された曲面でもよい。
【００２６】
第一の磁性ピース２０は、延在方向が互いに交差する第一の端面３０および第二の端面３２を有している。本実施形態では、第一の端面３０はＸ方向に延在し、第二の端面３２はこれと直交するＹ方向に延在している。第一の磁性ピース２０における第二の端面３２は、第二の磁性ピース２１における端面３１に対応している。また、第一の磁性ピース２０における第一の端面３０は、第三の磁性ピース２２における端面３３に対応している。
図１（ｂ）に示すように、第一の磁性ピース２０の第一の端面３０は、隣接する第二の磁性ピース２１の端面３１と互いに面接触している。そして第一の磁性ピース２０および第二の磁性ピース２１は、第一の端面３０の延在方向（Ｘ方向）に沿って互いにずれ合った位置に配置されている。またさらに、第一の磁性ピース２０の第二の端面３２は、隣接する第三の磁性ピース２２の端面３３と互いに面接触している。そして第一の磁性ピース２０および第三の磁性ピース２２は、第二の端面３２の延在方向（Ｙ方向）に沿って互いにずれ合った位置に配置されている。
これにより、第一の磁性ピース２０と第二の磁性ピース２１、さらに第一の磁性ピース２０と第三の磁性ピース２２は、それぞれ、上記の（Ａ）および（Ｂ）の条件を満たす。
【００２７】
本実施形態の磁性ピース２０〜２２は、隣接する他の１つの磁性ピースに対して、Ｘ方向に延在する端面およびＹ方向に延在する端面の両方で対向している。
【００２８】
本実施形態によれば、磁性シート１００がＸ方向に湾曲した場合も、Ｙ方向に湾曲した場合も、隣接する磁性ピース２０〜２２の端面３０〜３３が互いに面接触した状態を維持するため磁気特性が安定する。ここで、磁性シート１００がＸ方向に湾曲するとは、後述する図３（ｂ）にて示すように、Ｘ方向の一方側が他方側よりも持ち上がるようにして湾曲することをいう。言い換えると、Ｙ方向を折り目または曲げ軸として磁性シート１００を湾曲させることをいう。なお、本発明においては湾曲と屈曲とを区別しない。
【００２９】
本実施形態において、隣接する磁性ピース２０〜２２同士が所定の方向に互いにずれ合っているとは、当該隣接する磁性ピース２０〜２２の重心が当該所定の方向に異なる位置にあることをいう。より具体的は、Ｘ方向に隣接する磁性ピース２０と２１のＸ方向の重心位置は互いに異なる。そして、Ｙ方向に隣接する磁性ピース２０と２２のＹ方向の重心位置は互いに異なっている。
【００３０】
図２（ａ）に示すように、凸部５０の先端縁５１または凹部４０の最深縁４１の少なくとも一方が面取りされている。これにより、磁性シート１００は、湾曲時にこの先端縁５１または最深縁４１の一方と他方とが干渉しないように構成されている。ここで、凸部５０の先端縁５１と凹部４０の最深縁４１とが干渉しないとは、両者が互いに接触しないか、または実質的に摩擦なく滑らかに摺動する。具体的には、図２（ｂ）に示すように本実施形態では凸部５０の先端縁５１が厚み方向に弧状に面取り（Ｒ面取り）されている。そして、磁性シート１００が平坦な状態で凸部５０の先端縁５１と凹部４０の最深縁４１とは非接触である。これにより、先端縁５１が最深縁４１に干渉しないだけでなく、磁性シート１００が湾曲したときに先端縁５１が粘着シート１０（図３（ｂ）を参照）を損傷することがない。
【００３１】
本実施形態の磁性ピース２０〜２２においては、凹部４０の両側に位置する延出部４４の先端縁４５にも面取り（Ｒ面取り）が施されている。これにより、磁性シート１００が湾曲したときに、延出部４４の先端縁４５は、隣接する他の磁性ピースに干渉しない。
【００３２】
なお、凸部５０の先端縁５１に連なる端面３０は平坦に形成されており、凸部５０の幅方向（すなわちＹ方向）には面取りされていない（図２（ｂ）を参照）。これにより、磁性ピース２０の凸部５０の側面にあたる端面３０の略全体が、磁性ピース２１の凹部４０の内面にあたる端面３１に対して面接触する。
【００３３】
図３（ａ）は凹部４０と凸部５０の嵌合状態を模式的に示す斜視図である。同図は磁性シート１００が平坦な状態を示している。延出部４４は一部図示省略してある。図３（ｂ）は磁性シート１００がＸ方向に湾曲した状態を模式的に示す斜視図である。粘着シート１０はＸ方向の一方側（同図の場合、右側）が持ち上がるようにして湾曲している。図３（ｃ）は、図３（ａ）の平面図である。
【００３４】
図３（ａ）および（ｃ）に示す平坦状態で、凸部５０の両側の端面３０は、凹部４０の両側の端面３１に対して面接触する。すなわち、凸部５０と凹部４０の幅方向（Ｙ方向）の寸法は等しい。また、延出部４４の先端縁４５は磁性ピース２０に対して非接触であり、凸部５０の先端縁５１は凹部４０の最深縁４１に対して非接触である。
【００３５】
平坦状態から、磁性ピース２０が磁性ピース２１に対してＹ方向を軸として相対的に回動したのが図３（ｂ）の湾曲状態である。湾曲状態で、端面３０と３１との面接触は維持されている。すなわち、凸部５０と凹部４０とは面接触したままヒンジ揺動する。磁性ピース２１と２０との為す角を曲げ角度θとする。磁性ピース２０と２１とは、互いに対向する面（先端縁５１および最深縁４１）に垂直な接触面（端面３０、３１）を有している。これにより、磁性ピース２０と２１が当該端面３０、３１の面内で相対回動するように磁性シート１００が湾曲した場合に、磁性ピース２０と２１の面接触状態を維持することができる。
【００３６】
平坦状態における端面３０と３１の接触面積は、湾曲状態における接触面積よりも小さくてもよい。一般に磁性ピース２０と２２との接触面積は磁性シート１００の磁気特性のボトルネックではない。このため、磁性ピース２０と２２とが面接触状態を維持しているかぎり、その接触面積が小さくとも、磁性シート１００の磁気特性は有意に劣化しない。
【００３７】
図４（ａ）は、図３（ｂ）に示す湾曲状態において曲げ角度θを０度から４５度まで変化させた場合の磁性シート１００の実効透磁率μｅを示すシミュレーション結果のグラフである。曲げ角度θ＝０度の状態は、図３（ａ）に示す平坦状態に相当する。図４（ｂ）は、図８（ｂ）に示す湾曲状態において曲げ角度θを０度から４５度まで変化させた場合の、従来の磁性シート２００の実効透磁率μｅのシミュレーション結果のグラフである。凹部４０および凸部５０の有無を除き、磁性ピース２０、２１と磁性ピース２２０、２２１の寸法および比透磁率の条件は共通とした。また、粘着シート１０および基材２１０は無視した。
【００３８】
図３（ａ）に示す本実施形態の磁性シート１００は、磁性ピース２０の凸部５０の先端縁５１や磁性ピース２１の延出部４４の先端縁４５が面取り加工されているため、曲げ角度θ＝０度における実効透磁率μｅは約９００であり、従来の磁性シート２００における実効透磁率μｅ（約１０５０）よりも僅かに低い。従来の磁性シート２００は、図８（ａ）に示すように磁性ピース２２０、２２１の略全面で基材２１０を覆っているためである。
【００３９】
これに対し、曲げ角度θを０度から大きくすると、従来の磁性シート２００は実効透磁率μｅが急落する。具体的には、θ＝１０度で約２５０、θ＝３０度で約１００まで低下する。平坦状態を基準にすると、従来の磁性シート２００は、θ＝１０度で約２４％、θ＝３０度で約１０％まで低下する。
【００４０】
一方、本実施形態の磁性シート１００では、曲げ角度θを０度から大きくしていっても実効透磁率μｅの低下は緩やかである。具体的には、θ＝１０度で約８２０、θ＝３０度でも約５５０の実効透磁率μｅが維持されることが分かる。平坦状態を基準にすると、本実施形態の磁性シート１００は、θ＝１０度で約９１％、θ＝３０度で約６１％の実効透磁率μｅが残存する。
【００４１】
このように、本実施形態の磁性シート１００においては、磁性ピース２０〜２２が互いに面接触したままヒンジ揺動することで、磁気特性を大きく劣化させることなく磁性シート１００を湾曲させることができることが分かった。このため、磁性シート１００の磁気特性を維持したまま柔軟性を高めることが可能である。
【００４２】
図１（ａ）に戻り、第一の磁性ピース２０は隙間無く千鳥状に配置されている。ここで、磁性ピース２０〜２２の並び方向（Ｘ方向およびＹ方向）に延在する任意の線分Ｌ１、Ｌ２・・・（二点鎖線で図示）を仮想する。この線分Ｌ１、Ｌ２は、磁性シート１００の辺８０〜８３に対して任意の位置で直交する線分である。本実施形態の磁性シート１００は、線分Ｌ１、Ｌ２上に位置する少なくとも一の磁性ピース２０と、この一の磁性ピース２０に隣接する他の磁性ピース２１または２２と、が上記（Ａ）および（Ｂ）の条件を共に満たしている。このため、本実施形態の磁性シート１００は、Ｘ方向またはＹ方向のいずれの位置を折り目として湾曲させたときも、第一の磁性ピース２０と第二または第三の磁性ピース２１、２２とが面接触を維持することができる。特に本実施形態の磁性シート１００は、Ｘ方向およびＹ方向の複合的な湾曲も含め、磁性シート１００があらゆる方向に湾曲したときも、隣接する磁性ピース２０〜２２同士が全体的に面接触した状態を維持することができる。
【００４３】
磁性シート１００のうち周縁に位置する磁性ピース２０〜２２の外周縁は平坦に形成されているとよい。このため、周縁の磁性ピース２０〜２２に関しては凸部５０を除去するとよい。また、額縁部材６０に向かって開口する凹部４０には、矩形の補充ピース２４を任意で配置してもよい。補充ピース２４には、磁性ピース２０〜２２から切除した凸部５０を用いてもよい。
【００４４】
＜電子機器＞
図５は本実施形態の磁性シート１００を含む電子機器１２０の一部切欠平面図である。電子機器１２０の表層の保護シート１３０の一部を切り欠いて図示してある。保護シート１３０の破断線を一点鎖線で示す。
【００４５】
電子機器１２０は、磁性シート１００と、この磁性シート１００の厚み方向を巻軸方向とするコイル１４０と、コイル１４０に交流電流を通電する回路基板１５０と、を含む。本実施形態の電子機器１２０は非接触給電装置である。
【００４６】
磁性シート１００の表面には、複数のコイル１４０が一層または多層に配列されている。本実施形態の電子機器１２０においては、コイル１４０は磁性シート１００の表面に固定されている。回路基板１５０は、給電端子１５２と、この給電端子１５２とコイル１４０とを接続する配線１５４とを備えている。
【００４７】
給電端子１５２を外部電源（図示せず）に接続してコイル１４０に交流電流を通電することでコイル１４０には交番磁界が発生する。コイル１４０は送電コイルである。ここで、コイル１４０が発する磁束を磁性シート１００が捕捉および増幅する。電子機器１２０の表面に受電コイルを含む被充電機器（図示せず）を載置すると、当該被充電機器は無接点充電される。
【００４８】
本実施形態に代えて、磁性シート１００の表面に沿ってコイル１４０を駆動する駆動機構（図示せず）を設け、コイル１４０を磁性シート１００に対して非固定に設置してもよい。駆動機構を制御して、被充電機器の載置場所にコイル１４０を移動させ、電子機器１２０の全体ではなく局所的に交番磁界を発生させてもよい。
【００４９】
本実施形態の磁性シート１００は、上記に例示した非接触給電装置のほか、放射ノイズ吸収体、通信アンテナ、スピーカーなど、各種の電子機器に用いることができる。
【００５０】
＜製造方法＞
以下、磁性シート１００の製造方法（以下、本方法という場合がある。）を説明する。図６は本方法における切削工程を示す平面模式図である。本方法においては、第二の磁性ピース２１と第三の磁性ピース２２とを区別しない。図６においては、説明のため、磁性ピース２０、２１にハッチングを付してある。
【００５１】
はじめに、本方法の概要について説明する。
本方法は、複数の磁性ピース２０、２１が面状に並んで配置されてなる磁性シート１００の製造方法である。本方法は、ピース作成工程、配置工程および切削工程を含む。ピース作成工程は、複数の磁性ピース２０、２１を作成する工程である。配置工程は、複数の磁性ピース２０、２１を、端面３０、３１同士が面接触するとともにこれらの端面３０〜３３の延在方向に沿って互いにずれ合った位置に配置する工程である。切削工程は、磁性ピース２０〜２２を切削して磁性シート１００の周縁部を作成する工程である。
【００５２】
以下、本方法をより具体的に説明する。本方法においては、ピース作成工程、配置工程および切削工程を実行する順番やタイミングは任意である。複数の工程の順番は内容的に支障のない範囲で変更することができ、また複数の工程の実行タイミングの一部または全部が互いに重複していてもよい。
【００５３】
ピース作成工程では、磁性グリーンシートの焼成後にプレス機械や金型を用いてこれを切断し、同一形状の磁性ピース２０、２１を多数作成する。磁性グリーンシートは、磁性粉体をバインダ樹脂中に分散させて延伸した未焼成のシートである。ピース作成工程では、個片上に切断された磁性ピース２０、２１の凸部５０の先端縁５１および延出部４４の先端縁４５を研磨により面取り加工する。
【００５４】
配置工程では、図６に示すように、粘着シート１０の上面に、磁性ピース２０と２１との向きが縦横に互い違いになるように並べて配置するとともに、凹部４０と凸部５０とを嵌合させる。粘着シート１０の上面には粘着加工が施されており、磁性ピース２０、２１は粘着シート１０に対して剥離可能に被着する。磁性シート１００に所望の形状および寸法に予め切断された枚葉の粘着シート１０に磁性ピース２０、２１を配置してもよい。または、ロールシートなどの長尺の粘着シート１０を用意し、その上に磁性ピース２０、２１の配置領域を複数箇所に亘って多面づけで形成し、後記の切削工程で所望の形状および寸法に切り出して磁性シート１００を作成してもよい。
【００５５】
切削工程では、ダイサーを用いて、カットラインＣＬにて粘着シート１０および磁性ピース２０、２１を切断する。磁性ピース２０、２１の凸部５０が切断される。その後、切断された凸部５０を粘着シート１０から剥離し、補充ピース２４として凹部４０の内部に配置する（図１（ａ）を参照）。このようにして磁性ピース２０、２１の配列領域を矩形に成形する。さらに、磁性ピース２０、２１の外周を縁取るように溶融樹脂を供給し、これを硬化させて額縁部材６０を作成する。
【００５６】
以上により、本実施形態の磁性シート１００が作成される。上記の製造方法は、磁性ピースを作成するピース作成工程において、焼成された磁性グリーンシートを切削して磁性ピースを個別に作成した後に、磁性ピースを配置する配置工程において、個別に作成された上記の磁性ピースを配列するものである。その変形例として、ピース作成工程において、未焼成の磁性グリーンシートを、磁性ピース２０、２１に対応する形状に切削した後に、この切削された磁性グリーンシートを焼成して磁性ピース２０、２１を作成してもよい。
【００５７】
また、ピース作成工程と配置工程を同時に実行してもよい。すなわち、焼成された板状の磁性体を切削して上記（Ａ）および（Ｂ）の条件を共に満たすように複数の磁性ピース２０、２１を作成することにより、ピース作成工程と配置工程とを同時に実施してもよい。ここで、ピース作成工程と配置工程とを同時に実施するとは、両工程の実施タイミングの少なくとも一部が時間的に重複していることをいう。
【００５８】
＜第二実施形態＞
図７（ａ）は本実施形態の磁性シート１００を示す平面模式図であり、図７（ｂ）はピース群７０を示す説明図である。本実施形態の磁性シート１００は、その磁性ピース２０〜２２が長辺３４と短辺３５をもつ矩形状をなしている点と、隣接する磁性ピース２０〜２２が長辺３４の方向を交差させて配置されている点で第一実施形態と相違する。説明のため、図７（ａ）の一部の磁性ピース２０〜２２にハッチングを付してある。
【００５９】
磁性ピース２０〜２２は所定の厚みをもつ矩形の板材からなる。磁性ピース２０〜２２の側周面は、長辺３４に対応する長側面と短辺３５に対応する短側面とで構成されている。以下、長辺３４に対応する長側面を本実施形態の端面３０と呼称し、短辺３５に対応する短側面を端面３１と呼称する。
【００６０】
すると、本実施形態の磁性シート１００は、複数の磁性ピース２０、２１が面状に並んで配置されてなり、以下の（Ａ）および（Ｂ）の条件を共に満たす点で第一実施形態と共通することとなる。
（Ａ）隣接する磁性ピース２０の端面３０と磁性ピース２１の端面３１とは互いに面接触している。
（Ｂ）隣接する磁性ピース２０と２１とは、この面接触している端面３０、３１の延在方向（図７各図ではＸ方向）に沿って互いにずれ合った位置に配置されている。
【００６１】
これにより、面接触している端面３０、３１の延在方向（Ｘ方向）に磁性シート１００が湾曲しても、この湾曲は端面３０、３１の面内で発生することになるため、磁性ピース２０と２１との面接触が維持される。このため、磁性シート１００が当該方向に湾曲しても磁気特性は有意に劣化しない。
【００６２】
図７（ａ）に示す第二の磁性ピース２１の重心は、第一の磁性ピース２０の重心に対して、Ｘ方向にもＹ方向にも異なる位置にある。すなわち、第一の磁性ピース２０と第二の磁性ピース２１とはＸ方向にもＹ方向にも互いにずれ合った位置に配置されている。同様に、第一の磁性ピース２０と第三の磁性ピース２２とは、Ｘ方向にもＹ方向にも互いにずれ合った位置に配置されている。なお、第二の磁性ピース２１と第三の磁性ピース２２の形状および配置の向きは共通であり、両者は便宜上区別するものである。
【００６３】
第二実施形態は以下の点でも第一実施形態と共通する。
まず、磁性ピース２０（第一の磁性ピース）は、延在方向が互いに交差する第一および第二の端面３０、３１を有している。
また、第一の端面３０は、隣接する磁性ピース２１（第二の磁性ピース）の端面３１と互いに面接触しているとともに、第一の磁性ピース２０および第二の磁性ピース２１は、第一の磁性ピース２０における第一の端面３０の延在方向（Ｘ方向）に沿って互いにずれ合った位置に配置されている。
さらに、第一の磁性ピース２０の第二の端面３１は、隣接する第三の磁性ピース２２の端面３０と互いに面接触しているとともに、第一の磁性ピース２０および第三の磁性ピース２２は、第一の磁性ピース２０における第二の端面３２の延在方向（Ｙ方向）に沿って互いにずれ合った位置に配置されている。
【００６４】
このため、第二実施形態の磁性シート１００もまた、Ｘ方向およびＹ方向、ならびにＸ方向とＹ方向の複合方向のいずれの湾曲に対しても、磁性ピース２０〜２２が互いに面接触した状態を維持することができる。
【００６５】
本実施形態の磁性シート１００では、隣接する磁性ピースの少なくとも一方（たとえば磁性ピース２０）を基準として、当該磁性ピースの端面の一部領域を、隣接する他の磁性ピース（たとばえ磁性ピース２１）と部分的に共有している。言い換えると、磁性シート１００の平面視形状において、互いに隣接する磁性ピース２０、２１は、所定の方向に延在する稜線を共有し、そしてこれらの磁性ピース２０、２１は、当該稜線に直交する方向に互いにずれ合っている。
【００６６】
図７（ｂ）に示すピース群７０は、複数（図示は４つ）の磁性ピース２０、２１からなるクラスターである。図７（ａ）に示す本実施形態の磁性シート１００は、このピース群７０を互いに同一の向きに並べて配置してなる。
本実施形態の磁性シート１００を製造するにあたっては、予めピース群７０を作成しておくことで、これを同一の向きで粘着シート１０に隙間無く並べていくだけで容易に磁性シート１００を作成することができる。ピース群７０を構成する磁性ピース２０、２１を、容易に破断可能に仮留めした状態で、ピース群７０を粘着シート１０に並べて配置してもよい。
【００６７】
本発明の磁性シートの各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００６８】
上記実施形態は、以下の技術思想を包含するものである。
（１）複数の磁性ピースが面状に並んで配置されてなり、以下の（Ａ）および（Ｂ）の条件を共に満たすことを特徴とする磁性シート；
（Ａ）隣接する前記磁性ピースの端面同士が互いに面接触している、
（Ｂ）隣接する前記磁性ピースは、面接触している前記端面の延在方向に沿って互いにずれ合った位置に配置されている。
（２）第一の前記磁性ピースは、延在方向が互いに交差する第一および第二の端面を有しており、前記第一の端面が、隣接する第二の前記磁性ピースの端面と互いに面接触しているとともに、前記第一および第二の磁性ピースは前記第一の端面の延在方向に沿って互いにずれ合った位置に配置されており、前記第二の端面が、隣接する第三の前記磁性ピースの端面と互いに面接触しているとともに、前記第一および第三の磁性ピースは前記第二の端面の延在方向に沿って互いにずれ合った位置に配置されている上記（１）に記載の磁性シート。
（３）前記磁性ピースの並び方向に延在する任意の線分上に位置する少なくとも一の前記磁性ピースと、前記一の磁性ピースに隣接する他の磁性ピースと、が上記（Ａ）および（Ｂ）の条件を共に満たすことを特徴とする上記（１）または（２）に記載の磁性シート。
（４）隣接する前記磁性ピースが互いに同一形状をなしている上記（１）から（３）のいずれかに記載の磁性シート。
（５）前記磁性ピースが凹部および凸部を有し、前記凸部は、隣接する他の磁性ピースの前記凹部と嵌合し、前記凸部のうち突出方向を延在方向とする端面と、前記凹部のうち凹方向を延在方向とする端面と、が互いに面接触している上記（１）から（４）のいずれかに記載の磁性シート。
（６）前記凸部の先端縁または前記凹部の最深縁の少なくとも一方が面取りされていて前記磁性シートの湾曲時に前記先端縁または前記最深縁の他方と干渉しないように構成されている上記（５）に記載の磁性シート。
（７）複数の前記磁性ピースを表面に被着させて固定する粘着シートを更に含む上記（１）から（６）のいずれかに記載の磁性シート。
（８）前記磁性ピースの周縁を囲う可撓性の額縁部材を更に含む上記（１）から（７）のいずれかに記載の磁性シート。
（９）上記（１）から（８）のいずれかに記載の磁性シートと、前記磁性シートの厚み方向を巻軸方向とするコイルと、前記コイルに交流電流を通電する回路基板と、を含む電子機器。
（１０）複数の磁性ピースが面状に並んで配置されてなる磁性シートの製造方法であって、互いに同一形状の複数の前記磁性ピースを作成する工程と、複数の前記磁性ピースを、端面同士が面接触するとともに前記端面の延在方向に沿って互いにずれ合った位置に配置する工程と、前記磁性ピースを切削して前記磁性シートの周縁部を作成する工程と、を含む磁性シートの製造方法。
（１１）前記磁性ピースが長辺と短辺をもつ矩形状をなし、隣接する前記磁性ピースが前記長辺の方向を交差させて配置されている上記（１）から（４）のいずれかに記載の磁性シート。
（１２）複数の磁性ピースからなるピース群を互いに同一の向きに並べて配置してなる上記（１１）に記載の磁性シート。
（１３）前記磁性ピースを作成する工程において、焼成された磁性グリーンシートを切削して前記磁性ピースを個別に作成した後に、前記磁性ピースを配置する工程において、個別に作成された前記磁性ピースを配置することを特徴とする上記（１０）に記載の磁性シートの製造方法。
（１４）前記磁性ピースを作成する工程において、未焼成の磁性グリーンシートを前記磁性ピースに対応する形状に切削した後に、切削された前記磁性グリーンシートを焼成して前記磁性ピースを作成することを特徴とする上記（１０）に記載の磁性シートの製造方法。
（１５）焼成された板状の磁性体を切削して上記（Ａ）および（Ｂ）の条件を共に満たすように複数の前記磁性ピースを作成することにより、前記磁性ピースを作成する前記工程と前記磁性ピースを配置する前記工程とを同時に実施することを特徴とする上記（１０）に記載の磁性シートの製造方法。
【符号の説明】
【００６９】
１０：粘着シート、２０〜２２：磁性ピース、２４：補充ピース、３０〜３３：端面、３４：長辺、３５：短辺、４０：凹部、４１：最深縁、４２：中央部、４４：延出部、４５：先端縁、５０：凸部、５１：先端縁、６０：額縁部材、７０：ピース群、８０〜８３：辺、１００：磁性シート、１２０：電子機器、１３０：保護シート、１４０：コイル、１５０：回路基板、１５２：給電端子、１５４：配線、２００：磁性シート、２１０：基材、２２０，２２１：磁性ピース、２３０，２３１：端面、２４０：ギャップ、θ：曲げ角度、μｅ：実効透磁率、ＣＬ：カットライン、Ｌ１，Ｌ２：線分
【図１】
2014107322.tif 000003
【図２】
2014107322.tif 000004
【図３】
2014107322.tif 000005
【図４】
2014107322.tif 000006
【図５】
2014107322.tif 000007
【図６】
2014107322.tif 000008
【図７】
2014107322.tif 000009
【図８】
2014107322.tif 000010